(57)【特許請求の範囲】
【請求項１】
内燃機関のクランク軸のジャーナル部であって、円筒胴部と、前記円筒胴部を貫通して延びる潤滑油路と、前記円筒胴部の外周面上に形成された前記潤滑油路の少なくとも１つの入口開口とを有しているジャーナル部を回転自在に支持するための主軸受であって、
前記主軸受は、それぞれの周方向端面同士を突き合わせることによって円筒形状に組み合わされる第１および第２の半割軸受を有し、
前記第１および第２の半割軸受は、組み合わされたとき、それぞれの突合せ部分の内周面側に、前記主軸受の軸線方向全長に亘って延びる軸線方向溝を共に形成するように構成され、
前記各半割軸受は、該半割軸受の周方向中央部を含む主円筒部と、前記主円筒部よりも壁厚が薄くなるように該半割軸受の周方向両端部に軸線方向全長に亘って形成されたクラッシュリリーフ部とを有し、前記各クラッシュリリーフ部は、前記半割軸受の前記周方向端面から前記周方向中央部へ向かって中心角で３°以上１５°以下まで延び、
前記各クラッシュリリーフ部には、前記軸線方向溝に連通するように前記クラッシュリリーフ部の全長に亘って周方向に延びる複数のクラッシュリリーフ溝が形成され、
前記第１および第２の半割軸受のうち前記第１の半割軸受の内周面にのみ油溝が形成され、前記油溝は、前記第１の半割軸受の少なくとも前記主円筒部に亘って周方向に延び、前記クランク軸の回転方向前方側の前記油溝の周方向端部は、前記回転方向前方側の前記第１の半割軸受の前記周方向端面で開口し、前記クランク軸の回転方向後方側の前記油溝の周方向端部は、前記回転方向後方側の前記第１の半割軸受の前記クラッシュリリーフ部に位置し、
前記第１の半割軸受は、少なくとも前記クランク軸の回転方向前方側の前記クラッシュリリーフ部と前記主円筒部との間に、前記主円筒部から前記クラッシュリリーフ部に向かって壁厚が薄くなるように形成された移行領域をさらに有し、
前記第２の半割軸受は、少なくとも前記クランク軸の回転方向後方側の前記クラッシュリリーフ部と前記主円筒部との間に、前記主円筒部から前記クラッシュリリーフ部に向かって壁厚が薄くなるように形成された移行領域をさらに有し、
前記各移行領域は、前記半割軸受の軸線方向から見て半径方向に内向きの凸形状の内向凸曲面を有する
ことを特徴とする主軸受。
【請求項２】
前記移行領域に接続する前記各クラッシュリリーフ部は、前記接続位置での半径方向の深さが０．００２〜０．０３０ｍｍである請求項１に記載の主軸受。
【請求項３】
前記各移行領域は、周方向の長さが１〜４ｍｍである請求項１または２に記載の主軸受。
【請求項４】
前記各クラッシュリリーフ溝は、半径方向の深さが１〜２０μｍであり、また軸線方向の幅が０．０５〜０．５ｍｍである請求項１から３までのいずれか一項に記載の主軸受。
【請求項５】
前記第１および第２の半割軸受が組み合わされたとき、前記第１の半割軸受の前記クラッシュリリーフ部に形成された前記それぞれのクラッシュリリーフ溝は、前記第２の半割軸受の前記クラッシュリリーフ部に形成された前記それぞれのクラッシュリリーフ溝に対して、軸線方向に最小で０を超え最大で前記クラッシュリリーフ溝の前記幅未満ずれるようになされている請求項１から４までのいずれか一項に記載の主軸受。
【請求項６】
前記各軸線方向溝は、半径方向の深さが０．１〜１ｍｍであり、また円周方向の幅が０．３〜２．０ｍｍである請求項１から５までのいずれか一項に記載の主軸受。
【請求項７】
前記各移行領域は、隣接する前記クラッシュリリーフ部から遠い側に前記内向凸曲面を有し、また前記クラッシュリリーフ部に近い側に半径方向に外向きの凸形状の外向凸曲面を有する請求項１から６までのいずれか一項に記載の主軸受。
【請求項８】
前記油溝の深さが、前記回転方向前方側の前記第１の半割軸受の前記周方向端面で最大であり、且つ前記回転方向後方側の前記油溝の前記周方向端部へ向かって小さくなっている請求項１から７までのいずれか一項に記載の主軸受。
【請求項９】
前記第１の半割軸受の前記油溝の形成範囲と、前記回転方向後方側の前記第２の半割軸受の前記クラッシュリリーフ部の形成範囲とを合わせた範囲が、円周角度で１８０°〜１９０°である請求項１から８までのいずれか一項に記載の主軸受。
【発明の詳細な説明】
【技術分野】
【０００１】
本願発明は、内燃機関のクランク軸を支承するための主軸受に関するものである。
【背景技術】
【０００２】
内燃機関のクランク軸は、そのジャーナル部において、一対の半割軸受から成る主軸受を介して内燃機関のシリンダブロック下部に支承される。主軸受に対しては、オイルポンプによって吐出された潤滑油が、シリンダブロック壁内に形成されたオイルギャラリーから主軸受の壁に形成された貫通口を通じて、主軸受の内周面に沿って形成された潤滑油溝内に送り込まれる。また、ジャーナル部の直径方向には第１潤滑油路が貫通形成され、この第１潤滑油路の両端開口が主軸受の潤滑油溝と連通するようになっている。さらに、ジャーナル部の第１潤滑油路から、クランクアーム部を通る第２潤滑油路が分岐して形成され、この第２潤滑油路が、クランクピンの直径方向に貫通形成された第３潤滑油路に連通している。このようにして、シリンダブロック壁内のオイルギャラリーから貫通口を通じて主軸受の内周面に形成された潤滑油溝内に送り込まれた潤滑油は、第１潤滑油路、第２潤滑油路および第３潤滑油路を経て、第３潤滑油路の末端に開口した吐出口から、クランクピンとコンロッド軸受の摺動面間に供給される（例えば特許文献１参照）。
【０００３】
シリンダブロック壁内のオイルギャラリーから主軸受の潤滑油溝に送られる潤滑油は、例えば各部品の加工の際に生じた残留異物を随伴する可能性がある。この異物は、ジャーナル部と主軸受の間の摺動面およびクランクピンとコンロッド軸受の間の摺動面に損傷を与える恐れがあり、したがって潤滑油の流れから速やかに外部に排出する必要がある。
【０００４】
そこで従来、内燃機関のクランク軸を支承するための主軸受であって、主軸受を構成する各半円筒形状軸受の内周面が、曲率の異なる２種類の円弧、すなわち円周方向中央部を含む第一彎曲面（主円筒部）および第二彎曲面（クラッシュリリーフ部）から形成され、半円筒形状軸受の両突き合せ端面の幅方向全長に亘って軸線方向溝が形成され、第二彎曲面が、各半円筒形状軸受の円周方向端面から測定した円周角（θ）で２０°から５０°の範囲に形成され、また第二彎曲面に多数の微細な円周方向溝が形成された主軸受が提供され（特許文献２の図１および５）、それによって、潤滑油に付随して一方の半円筒形状軸受の潤滑油溝に混入した異物を、第二彎曲面とクランク軸の表面とが作る隙間に分散して流し、その後軸線方向溝から主軸受の外部へ排出し、他方の半円筒形状軸受の内周面位置に達して同内周面に局部的に埋収、堆積されないようにしている（特許文献２の段落００１１）。
【０００５】
また、主軸受を構成する半円筒形状軸受の一方の内周面に沿って形成される潤滑油溝の一方の周方向端部をクラッシュリリーフ部および面取りと連通させ、他方の周方向端部をクラッシュリリーフ部とは連通させないことで、軸受のオイルクリアランスから流れ出る潤滑油の量を少なくすること、および異物による損傷の発生を抑制することの両立を図ったすべり軸受が提案されている（特許文献３の要約）。
【先行技術文献】
【特許文献】
【０００６】
【特許文献１】特開平８−２７７８３１号公報
【特許文献２】特開２０１１−５８５６８号公報
【特許文献３】特開２００８−９５８５８号公報
【発明の概要】
【発明が解決しようとする課題】
【０００７】
しかし、従来、すべり軸受（半割軸受）の内周面（第１彎曲面、第２彎曲面）とジャーナル表面との間の軸受隙間は狭く設定されている。例えば特許文献２に開示される主軸受の場合、第二彎曲面の形成範囲が、半割軸受の周方向端面から中央部側へ向かって最小でも２０°以上と広く設定されているが、半割軸受１０の周方向中央部での軸受壁厚Ｗ１と周方向端部での軸受壁厚Ｗ２との差が５〜３０μｍであることから、以下のような問題点がある。
【０００８】
（１）隙間領域の上流側では、第２彎曲面の周方向中央部よりも半割軸受の周方向中央部側での第二彎曲面とクランク軸のジャーナル部表面との間の隙間が、油溝に混入した異物のサイズに対して狭くなり過ぎる。また、「第２彎曲面とジャーナル表面との間の隙間をジャーナル表面に付随し周方向端部側へ流れる油の圧力＞油溝内の油の圧力」となり、異物は油溝から第２彎曲面とジャーナル表面との間の隙間に分散し流れ難い。さらに、隙間に排出された（少数の）異物は、クランク軸のジャーナル部表面により第２彎曲面に押し込まれて堆積してしまう。
【０００９】
（２）また、第２彎曲面の形成範囲においては、半割軸受の周方向中央部側から周方向端部側への単位円周角度毎の隙間の増加率が小さいので、隙間領域の下流側では、半割軸受の周方向中央部側の第２彎曲面とジャーナル表面間の隙間（すなわち隙間領域の上流側）で圧力が高くなった油が、ジャーナル表面に付随して半割軸受の周方向端部側の第２彎曲面とジャーナル表面との間の隙間（すなわち隙間領域の下流側）に送られる。これにより、隙間領域の下流側でも「第２彎曲面とジャーナル表面との間の隙間をジャーナル表面に付随し周方向端部側へ流れる油の圧力＞油溝内の油の圧力」となりがちである。このため、図１４Ａに示すように、油溝内の異物は、少数の異物だけが半割軸受の周方向端部側の第２彎曲面とジャーナル部の表面の隙間に流出し、大部分の異物は、油溝の周方向端部側へと進み、他方の半割軸受の内周面へ混入しやすい。さらに、上述したような第２彎曲面とジャーナル表面との間の隙間をジャーナル表面に付随し周方向端部側へ流れる油の圧力によって、図１４Ａおよび１４Ｂに示すように、隙間に流出した少数の異物もまた軸線方向溝を通過し、他方の半割軸受の内周面へ押し流されやすい。
【００１０】
また先行技術文献３に記載される従来のすべり軸受においても、異物排出に関しては上記問題がある。さらに、この従来のすべり軸受は潤滑油溝の周方向両端部のうち一方の端部をクラッシュリリーフに連通させない構成であるため、ジャーナル表面の内部油路の開口が潤滑油溝と連通しない状態が発生する上、潤滑油溝のクランク軸の回転方向後方側の周方向端部領域では潤滑油の量が不足しがちになり、したがってクランクピン部側への潤滑油の供給が間欠的になる。
一方、クランクピン部側への常時給油を行うために先行技術文献３の図４２に示されるように他方の半割軸受に潤滑油溝と連通する部分溝を形成すると、潤滑油溝内の異物の大部分は部分溝にガイドされて他方の半割軸受に送られてしまい、部分溝の先側の摺動面に集中して堆積しやすくなる。
【００１１】
したがって本願発明の１つの目的は、異物の排出性に優れ、且つクランクピン部側への給油に優れた内燃機関のクランク軸用主軸受を提供することである。
【課題を解決するための手段】
【００１２】
上記目的を達成するために、本願発明の１つの観点によれば、
内燃機関の一方向に回転するクランク軸のジャーナル部であって、円筒胴部と、前記円筒胴部を貫通して延びる潤滑油路と、前記円筒胴部の外周面上に形成された前記潤滑油路の少なくとも１つの入口開口とを有しているジャーナル部を回転自在に支持するための主軸受であって、この主軸受は、それぞれの周方向端面同士を突き合わせることによって円筒形状に組み合わされる第１および第２の半割軸受を有し、
第１および第２の半割軸受は、組み合わされたとき、それぞれの突合せ部分の内周面側に、主軸受の軸線方向全長に亘って延びる軸線方向溝を共に形成するように構成され、
各半割軸受は、半割軸受の周方向中央部を含む主円筒部と、主円筒部よりも壁厚が薄くなるように半割軸受の周方向両端部に軸線方向全長に亘って形成されたクラッシュリリーフ部とを有し、各クラッシュリリーフ部は、半割軸受の周方向端面から周方向中央部へ向かって中心角にして３°以上１５°以下の範囲まで延び、
各クラッシュリリーフ部には、軸線方向溝に連通するようにクラッシュリリーフ部の全長に亘って周方向に延びる複数のクラッシュリリーフ溝が形成され、
第１および第２の半割軸受のうち第１の半割軸受の内周面にのみ油溝が形成され、油溝は、第１の半割軸受の少なくとも主円筒部に亘って周方向に延び、クランク軸の回転方向前方側の油溝の周方向端部は、回転方向前方側の第１の半割軸受の周方向端面で開口し、クランク軸の回転方向後方側の油溝の周方向端部は、回転方向後方側の第１の半割軸受のクラッシュリリーフ部に位置し、
第１の半割軸受は、少なくともクランク軸の回転方向前方側のクラッシュリリーフ部と主円筒部との間に、主円筒部からクラッシュリリーフ部に向かって壁厚が薄くなるように形成された移行領域をさらに有し、
第２の半割軸受は、少なくともクランク軸の回転方向後方側のクラッシュリリーフ部と主円筒部との間に、主円筒部からクラッシュリリーフ部に向かって壁厚が薄くなるように形成された移行領域をさらに有し、
移行領域は、半割軸受の軸線方向から見て半径方向に内向きの凸形状の内向凸曲面を有する
ことを特徴とする主軸受が提供される。
【００１３】
上記主軸受において、好適には、移行領域に接続する各クラッシュリリーフ部は、接続位置での半径方向の深さが０．００２〜０．０３０ｍｍである。
【００１４】
また上記主軸受において、好適には、各移行領域は、周方向の長さが１〜４ｍｍである。
【００１５】
また上記主軸受において、好適には、各クラッシュリリーフ溝は、半径方向の深さが１〜２０μｍであり、また軸線方向の幅が０．０５〜０．５ｍｍである。
【００１６】
また上記主軸受において、好適には、第１および第２の半割軸受が組み合わされたとき、第１の半割軸受のクラッシュリリーフ部に形成されたそれぞれのクラッシュリリーフ溝は、第２の半割軸受のクラッシュリリーフ部に形成されたそれぞれのクラッシュリリーフ溝に対して、軸線方向に最小で０を超え最大でクラッシュリリーフ溝の幅未満ずれるようになされている。
【００１７】
また上記主軸受において、好適には、各軸線方向溝は、半径方向の深さが０．１〜１ｍｍであり、また円周方向の幅が０．３〜２．０ｍｍである。
【００１８】
また上記主軸受において、移行領域は、クラッシュリリーフ部から遠い側に内向凸曲面を有し、またクラッシュリリーフ部に近い側に半径方向に外向きの凸形状の外向凸曲面を有していてもよい。
【００１９】
また上記主軸受において、油溝の深さが、回転方向前方側の第１の半割軸受の周方向端面で最大であり、且つ回転方向後方側の油溝の周方向端部へ向かって小さくなっていてもよい（図１２）。
また上記主軸受において、好適には、第１の半割軸受の油溝の形成範囲と、回転方向後方側の第２の半割軸受のクラッシュリリーフ部の形成範囲とを合わせた範囲が、円周角度で１８０°〜１９０°である（図１５）。
【発明の効果】
【００２０】
本願発明によれば、少なくとも一方の半割軸受のクラッシュリリーフ部と主円筒部との間に移行領域が形成され、それによってクラッシュリリーフの半割軸受の周方向中央部側の端部は、従来の軸受と比較して、半割軸受の外径側に偏位している。
【００２１】
このため、（Ａ）クラッシュリリーフの上流側領域においても油溝内の異物ＦＭがリリーフ隙間へ移動可能な隙間空間が、移行領域７３と油溝４１ａの接続部付近に形成され（図１０Ｂ）、また（Ｂ）クランク軸のジャーナル部表面とクラッシュリリーフ面との間のリリーフ隙間の油は、上流領域においても 圧力が減少する。より具体的には、主円筒面とジャーナル表面間の隙間で圧力が高くなった油は、隙間体積が大きい（隙間体積が急激の増加する）本願発明のリリーフ隙間空間に進入すると同時に急激に圧力が下がる。このため、油溝内の異物は油とともに、特に、移行領域とジャーナル表面間の隙間からリリーフ隙間へも分散し流れるようになる（図１０Ａ）。
【００２２】
リリーフ隙間に分散して流れた異物は、クラッシュリリーフ面を形成する複数のクラッシュリリーフ溝７４の凹部にガイドされ、半割軸受の周方向端部側でクラッシュリリーフ溝が連通する軸線方向溝７７に送られ、さらに主軸受の軸線方向両端部の軸線方向溝の両端部の開口から外部へ排出される。
【００２３】
本願発明では、上述したように主円筒部とジャーナル表面間の隙間で圧力が高くなった油は、隙間体積が大きい（隙間体積が急激に増加する）リリーフ隙間に進入すると同時に急激に圧力が下がる。さらに、図１０Ａの移行領域７３からリリーフ隙間に流れる油流（矢印で示す油流）は、図示しない主円筒部とジャーナル表面間の隙間側からリリーフ隙間へ流れるジャーナル表面に付随し軸受の周方向に直進する油流と、リリーフ隙間内で交差するように衝突する。このため、リリーフ隙間では、軸受の周方向に流れる油の流れが弱められる。これらにより、本願発明のリリーフ隙間に流出した異物は、リリーフ面（クラッシュリリーフ溝）とジャーナル表面との間の隙間をジャーナル表面に付随して周方向端部側へ流れる油の圧力によって軸線方向溝を通過し、他方の半割軸受の内周面へ押し流されるような問題が起き難い。
【００２４】
また本願発明によれば、クラッシュリリーフ部の形成範囲は、半割軸受の周方向端面から、円周角度（θ）で、３°以上１５°以下までである。この理由は、クラッシュリリーフの形成範囲が、半割軸受の周方向端面から円周角度（θ）で、３°未満であると、油溝内の異物がリリーフ隙間へ分散し流出し難くなるからであり（リリーフ隙間の容積が小さすぎて、主円筒部とジャーナル表面間の隙間で圧力が高くなった油が隙間空間に進入したとき、油の圧力を低下させる効果が不十分になる）、また円周角度（θ）が１５°を超えると、異物が軸線方向溝を通過して他方の半割軸受の内周面へ進入しやすくなるからである。
【００２５】
より詳細には、図１０Ａの移行領域からリリーフ隙間に流れる油流（矢印で示す油流）は、図示しない主円筒部とジャーナル表面間の隙間側からリリーフ隙間へ流れるジャーナル表面に付随し軸受の周方向に直進する油流と、リリーフ隙間内で交差するように衝突する。このため、リリーフ隙間では、軸受の周方向へ流れる油の流れが弱められる。クラッシュリリーフの形成範囲が円周角度（θ）で１５°を超えると、リリーフ隙間の半割軸受の周方向端部付近では、リリーフ隙間の上流側で周方向への直進速度が弱められた油が、ジャーナル表面に付随しリリーフ隙間の半割軸受の周方向端部付近へ送られるまでの間に再度、軸受の周方向へ直進速度を増し、これにより異物が軸線方向溝を通過して他方の半割軸受の内周面へ進入しやすくなる。
【００２６】
また本発明によれば、第２の半割軸受が、少なくともクランク軸の回転方向後方側のクラッシュリリーフ部と主円筒部との間に、主円筒部からクラッシュリリーフ部に向かって壁厚が薄くなるように形成された移行領域であって、半割軸受の軸線方向から見て半径方向に内向きの凸形状の内向凸曲面を有する移行領域をさらに有するので、従来のクラッシュリリーフ部により形成されるリリーフ隙間と比較して第１の半割軸受の油溝からリリーフ隙間に流れ込む油の保持容量が大きくなり、したがって、クランク軸の内部油路の入口開口が（第１の半割軸受の油溝のみならず）このクラッシュリリーフ部と連通している間もリリーフ隙間内の油がクランクピン部側へ送られるようになり、間欠給油を引き起こし難い。
【００２７】
また、第１の半割軸受の油溝から第２の半割軸受の主円筒面へ供給された油は次に、クランク軸の回転方向前方側の第２の半割軸受のクラッシュリリーフ部および回転方向後方側の第１の半割軸受のクラッシュリリーフ部により形成される隙間に入り込むが、クランク軸の回転方向後方側の油溝の周方向端部が回転方向後方側の第１の半割軸受のクラッシュリリーフ部に位置しているので、図１３Ａおよび１３Ｂに示すようにリーフ隙間内の油（の一部）が、回転するクランク軸の表面に付随して回転方向後方側の油溝の周方向端部の領域内へ送られ（図１３Ａおよび１３Ｂの点線の矢印が油の流れを示す）、したがってこの領域内で油量の不足が防がれ、この領域上をクランク軸の内部油路の入口開口が通過する間もクランクピン部側へ油が送られる。
【００２８】
尚、本願発明とは異なり、クランク軸の回転方向後方側の油溝の周方向端部を第１の半割軸受のクラッシュリリーフ部内に位置させず、主円筒部に位置させた場合には、回転方向後方側の油溝の周方向端部の領域にリリーフ隙間から供給される油が少なくなるので、回転方向後方側の油溝の周方向端部領域で油量が不足しがちになる。
【００２９】
また逆に、クランク軸の回転方後方側の油溝の周方向端部を第１の半割軸受の周方向端面で開口させた場合には、油溝内の油が、クランク軸の回転方向後方側の第１の半割軸受のクラッシュリリーフ部および回転方向前方側の第２の半割軸受のクラッシュリリーフ部による隙間や、第１の半割軸受および第２の半割軸受の周方向端面同士の突き合わせ部の内周面側に形成される軸線方向溝に流れやすく、したがって主軸受の外部へ流出することになる。
【図面の簡単な説明】
【００３０】
【図１】内燃機関のクランク軸を、ジャーナル部およびクランクピン部で裁断した断面図である。
【図２】本願発明の実施例による一方の半割軸受の正面図である。
【図３】本願発明の実施例による一方の半割軸受の底面図である。
【図４】本願発明の実施例による他方の半割軸受の底面図である。
【図５】一対の半割軸受を組み付けた状態の主軸受の正面図である。
【図６】クラッシュリリーフ近傍の形状について説明する拡大正面図である。
【図７】クラッシュリリーフ近傍の形状について主円筒部を平面展開して具体的な寸法を説明する展開図である。
【図８】クラッシュリリーフ溝の断面図である。
【図９】軸線方向溝の断面図である。
【図１０Ａ】本願発明の主軸受の作用を説明するための、軸受内側から見た図である。
【図１０Ｂ】本願発明の主軸受の作用を説明するための正面図である。
【図１１】対になったクラッシュリリーフ溝の位置関係を説明する説明図である。
【図１２】本願発明の他の実施例による一方の半割軸受の正面図である。
【図１３Ａ】本願発明の主軸受の作用を説明するための、軸受内側から見た図である。
【図１３Ｂ】本願発明の主軸受の作用を説明するための正面図である。
【図１４Ａ】従来技術の主軸受の作用を説明した、軸受内側から見た図である。
【図１４Ｂ】従来技術の主軸受の作用を説明した正面図である。
【図１５】一対の半割軸受を組み付けた状態の主軸受の正面図である。
【発明を実施するための形態】
【００３１】
以下、本願発明の実施例について図面を参照しながら説明する。尚、理解を容易にするために、図面においてクラッシュリリーフは誇張して描かれている。
【実施例】
【００３２】
（軸受装置の全体構成）
図１に示すように、本実施例の軸受装置１は、シリンダブロック８の下部に支承されるジャーナル部６と、ジャーナル部６と一体に形成されてジャーナル部６を中心として回転するクランクピン５と、クランクピン５に内燃機関から往復運動を伝達するコンロッド２とを備えている。そして、軸受装置１は、クランク軸を支承するすべり軸受として、ジャーナル部６を回転自在に支承する主軸受４と、クランクピン５を回転自在に支承するコンロッド軸受３とをさらに備えている。
【００３３】
尚、クランク軸は複数のジャーナル部６と複数のクランクピン５とを有するが、ここでは説明の便宜上、１つのジャーナル部６および１つのクランクピン５を図示して説明する。図１において、紙面奥行き方向の位置関係は、ジャーナル部６が紙面の奥側で、クランクピン５が手前側となっている。
【００３４】
ジャーナル部６は、一対の半割軸受４１、４２によって構成される主軸受４を介して、内燃機関のシリンダブロック下部８１に軸支されている。図１で上側にある半割軸受４１には、内周面に油溝４１ａが周方向に形成されている。また、ジャーナル部６は、直径方向に貫通する潤滑油路６ａを有し、ジャーナル部６が矢印Ｘ方向に回転すると、潤滑油路６ａの両端開口が交互に主軸受４の油溝４１ａに連通する。
【００３５】
クランクピン５は、一対の半割軸受３１、３２によって構成されるコンロッド軸受３を介して、コンロッド２の大端部ハウジング２１（ロッド側大端部ハウジング２２およびキャップ側大端部ハウジング２３）に軸支されている。
【００３６】
上述したように、主軸受４に対して、オイルポンプによって吐出された潤滑油が、シリンダブロック壁内に形成されたオイルギャラリーから主軸受４の壁に形成された貫通口を通じて主軸受４の内周面に沿って形成された油溝４１ａ内に送り込まれる。
【００３７】
さらに、ジャーナル部６の直径方向に第１の潤滑油路６ａが貫通形成され、第１の潤滑油路６ａの両端開口が潤滑油溝４１ａと連通している。そして、ジャーナル部６の第１の潤滑油路６ａから分岐してクランクアーム部（図示せず）を通る第２の潤滑油路５ａが形成され、第２の潤滑油路５ａが、クランクピン５の直径方向に貫通形成された第３の潤滑油路５ｂに連通している。
【００３８】
このようにして、潤滑油は、第１の潤滑油路６ａ、第２の潤滑油路５ａおよび第３の潤滑油路５ｂを経て、第３の潤滑油路５ｂの端部の吐出口５ｃから、クランクピン５とコンロッド軸受３の間に形成される隙間に供給される。
【００３９】
（半割軸受の構成）
そして、本実施例の主軸受４は、一対の半割軸受４１、４２の周方向の端面を突き合わせて、全体として円筒形状に組み合わせることによって形成される（図５参照）。それぞれの半割軸受４１（４２）は、図２に示すように、鋼板上に軸受合金を薄く接着させたバイメタルによって半円筒形状に形成されたものである。半割軸受４１は、周方向の中央部を含んで形成された主円筒部７１と、周方向の両端部に形成されたクラッシュリリーフ部７０、７０と、主円筒部７１とクラッシュリリーフ７０、７０の間にあってクラッシュリリーフ７０、７０に向かって壁厚が薄くなるように形成された移行領域７３、７３とを備えている。
【００４０】
（実施例１）
図３および５から理解されるように、半割軸受４１の内周面に形成された油溝４１ａは円周方向中央部を通して延び、クランク軸の回転方向前方側の油溝４１ａの周方向端部は、クランク軸の回転方向前方側の半割軸受４１の周方向両端面７２に開口し、一方、クランク軸の回転方向後方側の油溝４１ａの周方向端部は、クランク軸の回転方向後方側のクラッシュリリーフ部７０に位置するように形成される。
本実施例において、油溝４１ａは、矩形の断面形状である。油溝４１ａの深さは、クランク軸の回転方向後方側の油溝４１ａの周方向端部付近を除き周方向に亘って一定であり、しかし周方向端部付近では主円筒部７１の内周面へ向かって次第に小さくなっている（図５参照）。尚、ここでいう油溝４１ａの深さとは、主円筒部７１では、主円筒部７１の内周面から油溝底面までの径方向の深さであり、クラッシュリリーフ部７０および移行領域７３では、それらを形成しなかった場合の仮想の内周面７１ｖ（図７参照）からの深さである。
【００４１】
尚、油溝４１ａがクランク軸の回転方向前方側の半割軸受４１の周方向端面７２で開口するように構成する理由は、他方の半割軸受４２の内周面へ多くの油を送り潤滑性を高めるためである。またクランク軸の回転方向後方側の油溝４１ａの周方向端部がクランク軸の回転方向後方側のクラッシュリリーフ部７０に位置するよう構成する理由は、前述したように、クランク軸の回転方向後方側の油溝４１ａの周方向端部領域で油が不足することを防ぐためである。
【００４２】
図３から理解されるように、油溝４１ａは半割軸受４１の軸線方向における幅の中央に配置される。油溝４１ａの底部には半割軸受４１を径方向に貫通する貫通口（図示せず）が形成され、油は、シリンダブロックの壁内のオイルギャラリーから、この貫通口を通して油溝４１ａ内に供給される。油溝４１ａの幅は、内燃機関の仕様により異なるが、例えば乗用車用の小型内燃機関の場合、４〜７ｍｍ程度であり、油溝４１ａの最大深さ（実施例１の場合、クランク軸の回転方向後方側の油溝４１ａの周方向端部の領域を除いた領域の一定深さ）は、０．５〜１．５ｍｍ程度である。
【００４３】
尚、油溝４１ａは、実施例１に限定されず、例えば油溝の幅や深さは、油溝４１ａの長さの中央部付近で最大で、周方向両端部へ向かって次第に小さくなるようにすることができる。
【００４４】
尚、本願発明では上側の半割軸受４１のクランク軸の回転方向の前方側の移行領域７３は必須構成であるが、後方側の移行領域７３は必須構成ではなく、また下側の半割軸受４２のクランク軸の回転方向の後方側の移行領域７３は必須構成であるが、前方側の移行領域７３は必須構成ではない。
【００４５】
実施例１では、半割軸受４１、４２は、前方側および後方側の両側に移行領域７３、７３を備えている。実施例１と異なり、半割軸受４１のクランク軸６の回転方向の後方側には移行領域７３を形成せずに、クラッシュリリーフ部７０と主円筒部７１を直接接続するように形成してもよい。また、下側の半割軸受４２のクランク軸の回転方向の前方側には移行領域７３を形成せずに、クラッシュリリーフ部７０と主円筒部７１を直接接続するように形成してもよい。尚、ここでいう「クランク軸６の回転方向の前方側の移行領域７３」とは、１つの半割軸受４１または４２に着目した場合に、両端近傍にある移行領域７３のうち、回転するジャーナル６表面の任意の点が２番目に通過する移行領域７３のことを意味する。
【００４６】
ところで、内燃機関のクランク軸は、運転時には一方向に回転する。このため当業者であれば、クランク軸の回転方向を考慮して、半割軸受の周方向両端面に隣接する２つのクラッシュリリーフのうち、どちらが「クランク軸の回転方向の前方側のクラッシュリリーフ」であるか認定することができよう。また当業者であれば、本発明の開示にしたがって本発明の主軸受４を設計、製造し、これを一方向に回転するクランク軸を支承する軸受装置に組み付けることが可能である。
【００４７】
半割軸受４１は、クランク軸の回転方向の前方側および後方側の両方に移行領域７３を形成すれば、半割軸受４１の周方向両端部の内周面の加工工程を共通化でき、また半割軸受４２にも移行領域７３を形成すれば、半割軸受４１と半割軸受４２の内周面の加工工程を共通化することができる。
【００４８】
主円筒部７１は、半割軸受４１（または４２）の内周面の大部分を占める半円筒面を有し、この半円筒面は相手軸との間で主たる摺動面を形成する。そしてこの主円筒部７１に隣接して、図６および７に示すように、クラッシュリリーフ部７０に向かって徐々に壁厚が減少する移行領域７３が設けられている。言い換えると、移行領域７３において、クラッシュリリーフ部７０の内面から主円筒部７１の内面へ向かって、相手軸側に近づくように傾斜曲面が形成される。
【００４９】
半割軸受４１（または４２）の軸線方向から見た移行領域７３は、半割軸受４１（または４２）の半径方向内向きに凸の内向凸曲面からなる。すなわち、半割軸受４１（または４２）の軸線方向から見たときの半割軸受４１の仮想内周面（主円筒部７１の延長表面）７１ｖに対する移行領域７３の傾斜曲面の傾きは、クラッシュリリーフ部７０に接続する位置で最も大きく、主円筒部７１に接続する位置で最も小さくなって主円筒部７１に滑らかに接続している。
【００５０】
尚、移行領域は平面から形成してもよいが、その場合、主円筒部７１と移行領域の接続箇所に角部（角縁部）が形成され、この角部がクランク軸のジャーナル部表面と接触し、損傷が起こりやすくなる。本願発明のように移行領域を傾斜曲面で形成することにより、そのような問題が起き難くなる。
【００５１】
尚、移行領域７３の内面形状は、移行領域７３と油溝４１ａとの接続部において、油溝内の異物が、リリーフ隙間（移行領域７３の内面とクラッシュリリーフ部７０の内面と仮想内周面とで形成される隙間）へ流れる形状であればよい。例えば、外径側に凸の外向凸曲面を含んでいてもよく、あるいはクラッシュリリーフ７０に近い側の外向凸曲面とクラッシュリリーフ７０から遠い側の内向凸曲面とを有するＳ字状の複合曲面であってもよい。
【００５２】
次に、図７を参照しながら、クラッシュリリーフ７０および移行領域７３の具体的な寸法について説明する。図７は、主円筒部７１の内周面が平面（断面内では直線）となるように展開した展開図である。
【００５３】
クラッシュリリーフ７０ｃの周方向端面での深さＤ１は、従来のクラッシュリリーフと同様でよい。内燃機関の仕様によっても異なるが、乗用車用の小型の内燃機関用軸受の場合、例えば深さＤ１は０．０１〜０．０５ｍｍ程度である。また、クラッシュリリーフ７０ｃは、油溝４１ａからリリーフ隙間への異物排出作用のために、半割軸受の周方向端部から周方向中央部側へむかって円周角θが３°以上１５°以下の範囲まで形成することが好ましい（図２および７参照）。
【００５４】
クラッシュリリーフ部７０の移行領域７３に接続する位置での深さＤ２は、０．００２〜０．０３０ｍｍとすることができる。深さＤ２がこの範囲にあれば、（Ａ）クラッシュリリーフの上流側領域においても油溝内に異物ＦＭがリリーフ隙間へ移動可能な隙間空間が、移行領域７３と油溝４１ａの接続部付近に形成され（図１０Ｂ）、また（Ｂ）クランク軸のジャーナル部６の表面とクラッシュリリーフ部７０の内面との間のリリーフ隙間の油は、上流領域においても圧力が減少し、それにより油溝内の異物が潤滑油とともに、特に、移行領域とジャーナル表面間の隙間からリリーフ隙間へも分散して流れるようになる（図１０Ａ）。
【００５５】
尚、深さＤ２が０．００２ｍｍ未満の場合、油溝の異物が通るための隙間が小さくなりすぎ、またリリーフ隙間内の油の圧力を低下させる効果も低下するので、油溝内の異物をリリーフ隙間に分散して流し難い。また深さＤ２が０．０３０ｍｍを超える場合、半割軸受４１（または４２）の幅方向端部におけるクラッシュリリーフ７０ｃの隙間（クラッシュリリーフ部７０内面と仮想内周面７１ｖとで挟まれる隙間）が大きくなるため、半割軸受４１（または４２）の軸受幅方向の両端部から外部への潤滑油の漏れ量が多くなる。
【００５６】
実施例１による移行領域７３の周方向の長さＬ２は、１〜４ｍｍの範囲であり、より好ましくは２〜３ｍｍの範囲である。
【００５７】
クラッシュリリーフ部７０は、半割軸受４１、４２の周方向の端面７２（図５参照）に隣接する領域に、主円筒部７１よりも壁厚が薄くなるように形成された壁厚減少領域である。クラッシュリリーフ部７０は、一対の半割軸受４１、４２をシリンダブロック下部８１および軸受キャップ８２に組み付けた状態における、突合せ端面（周方向の端面７２）の位置ずれや変形を吸収するクラッシュリリーフ７０ｃを形成することを企画して設けられる（例えばＳＡＥ  Ｊ５０６（項目３．２６および項目６．４）、ＤＩＮ１４９７（セクション３．２）、ＪＩＳ  Ｄ３１０２参照）。
【００５８】
実施例１によるクラッシュリリーフ部７０は、図６および７に示すように、端面７２の位置での深さＤ１が、移行領域７３に接続する位置での深さＤ２よりも深くなるように形成されている。ここで、クラッシュリリーフ７０ｃの深さとは、主円筒部７１の内周面をクラッシュリリーフ部７０上に延長した仮想内周面７１ｖからクラッシュリリーフ部７０の表面までの距離をいうものとする。
【００５９】
さらに、本実施例によるクラッシュリリーフ部７０の内面は、半割軸受４１、４２の半径方向外向きに凸形状の外向凸曲面から形成される。すなわち半割軸受４１の軸線方向から見たときに半割軸受４１、４２の仮想内周面７１ｖに対するクラッシュリリーフ部７０の内面の傾きは、移行領域７３に接続する位置で最も大きく、また端面７２の位置で最も小さく、仮想内周面７１ｖに対して略平行である。
【００６０】
尚、上述した主円筒部７１、クラッシュリリーフ部７０、および移行領域７３の形状は、一般的な形状測定器、例えば真円度測定器によって計測可能である。すなわち、実際のシリンダブロック下部の軸受ハウジング部、またはこれらに類似したハウジング内に軸受を組み付けた状態で、軸受の内面の形状を円周方向に連続的に測定することができる。
【００６１】
クラッシュリリーフ部７０には、図３および４に示すように、複数のクラッシュリリーフ溝７４、７５が、軸受の周方向と平行に延在するように、クラッシュリリーフ部７０の内周面の周方向全長に亘って形成されている。クラッシュリリーフ溝７４、７５は、半割軸受４１、４２の幅方向に複数並列して配置され、全幅に亘って形成されている。したがって、クラッシュリリーフ部の内周面に平坦な領域は存在しない（半割軸受４１の油溝４１ａの形成範囲は除く）。また複数のクラッシュリリーフ溝７４、７５は、全て同じ溝幅、溝深さになされ、クラッシュリリーフ部７０の内周面の周方向全長に亘っても、同じ溝幅、溝深さになされる。
【００６２】
より詳細に説明すると、クラッシュリリーフ溝７４は、図８に示すように、所定の溝幅ＷＧ且つ所定の溝深さＤＧの円弧形状（円弧部が奥側になっている形状）に形成されている。換言すると、個々のクラッシュリリーフ溝７４はＵ字形状の切削溝であり、幅方向に一定間隔（ＷＧ）で並設されて、全体として鋸刃状または浅い櫛状の断面形状を形成している。ここで、溝幅ＷＧとは、隣接する山部の頂点間の半割軸受４１、４２の幅方向の距離をいうものとし、溝深さＤＧとは、頂点から谷部の底点までの内周面に垂直方向の距離をいうものとする。クラッシュリリーフ溝７４は、具体的には、溝幅ＷＧが０．０５〜０．５ｍｍであり、溝深さＤＧが１〜２０μｍであることが好ましい。
【００６３】
ここで、クラッシュリリーフ部７０は、その内周面に複数のクラッシュリリーフ溝７４、７５が形成された構成を有しているが、図７に示すように移行領域７３には、クラッシュリリーフ溝７４、７５は連続して形成されないため、クラッシュリリーフ７０と移行領域７３との境界は明確である。
【００６４】
本願発明によれば、図１０Ａおよび１３Ａに示すように、複数のクラッシュリリーフ溝７４は、軸受の周方向と平行に延びるように、クラッシュリリーフ部７０の内周面の周方向全長に亘って形成されている。本願発明とは異なり、例えば図１０Ａの上側の半割軸受４１のクラッシュリリーフ溝７４のうち、油溝４１ａよりも紙面右側のクラッシュリリーフ溝７４および紙面左側のクラッシュリリーフ溝を、周方向ではなく、半割軸受４１の軸線方向の中央部（油溝４１ａ）へ向かって傾ける（軸受の周方向に対して傾ける）ようにした場合、リリーフ隙間に排出された異物は、再度、半割軸受の軸線方向の中央部（油溝４１ａ側）に向かって送られるため、軸受の外部へ排出され難くなる。また、例えば図１０Ａの上側の半割軸受４１のクラッシュリリーフ溝７４のうち、油溝４１ａよりも紙面右側のクラッシュリリーフ溝７４および紙面左側のクラッシュリリーフ溝を、半割軸受４１の軸線方向の端部へ向かうように傾けた場合、半割軸受４１から外部への油の漏れ量が多くなってしまう。
【００６５】
さらに、クラッシュリリーフ部７０には、図３、４、６、７および９に示すように、半割軸受４１、４２の周方向の内側端縁に、半割軸受４１、４２の軸線方向に連続して延びる傾斜面７６が形成されている。すなわち、軸線方向溝７７は、一対の半割軸受４１、４２が円筒形に組み合わされた状態で、互いに当接する円周方向端面７２の内縁に沿って、且つ主軸受の軸線方向の幅全長に亘って軸線方向溝が形成される。尚、実施例１とは異なり、互いに当接する２つの円周方向端面７２のうち一方の円周方向端面のみに傾斜面７６を形成してもよく、その場合、一対の半割軸受４１、４２が円筒形に組み合わされたときに傾斜面７６は他方の円周方向端面７２と協同して軸線方向溝７７が形成される。
【００６６】
軸線方向溝７７は、具体的には、組み合わせた状態での周方向の溝幅ＷＪが０．３〜２ｍｍであり、半径方向の溝深さＤＪが０．１〜１ｍｍであることが好ましい。異物の排出路となる軸線方向溝７７の寸法は、潤滑油に混入する異物の大きさを考慮して決めればよく、軸受の大きさには影響されない。尚、図９では、軸線方向溝７７はＶ形状断面の溝を示したが、異物の排出が可能であれば断面形状はこれに限定されない。
【００６７】
軸線方向溝７７は、クラッシュリリーフ溝７４よりも深く形成される。このため、クラッシュリリーフ溝７４の周方向端部の開口は、軸線方向溝７７の内面（傾斜面７６）に開口する。このためクラッシュリリーフ溝７４の内面凹部にガイドされて流れる潤滑油および異物は直接軸線方向溝７７内に進入するので、軸線方向溝７７内に軸線方向への油流が形成されやすい。したがって潤滑油とともに軸線方向溝７７内に進入した異物は、軸受外へ排出されやすくなる。
【００６８】
ところで、図１０Ａおよび１０Ｂに示すように、油溝４１ａから一方の半割軸受４１のリリーフ隙間に排出された異物ＦＭの一部は、軸線方向溝７７を通り越して、他方の半割軸受４２のリリーフ隙間へ進入してしまう場合がある。そこで、以下のようにクラッシュリリーフ溝７４、７５を配置することが好ましい。
【００６９】
一方の半割軸受４１と対になる他方の半割軸受４２のクラッシュリリーフ部７０には、周方向に連続する複数のクラッシュリリーフ溝７５が設けられている。本実施例では、図１１に示すように、本実施例の一方の半割軸受４１の複数のクラッシュリリーフ溝７４は、他方の半割軸受４２の複数のクラッシュリリーフ溝７５に対して、幅方向に溝幅ＷＧの半分だけずらされている。すなわち、一対の半割軸受４１、４２の周方向端面同士の突合せ部、すなわち一方のクラッシュリリーフ溝７４と他方のクラッシュリリーフ溝７５の接続位置では（実際には軸線方向溝７６が存在するので、直接は接続しない）、一方のクラッシュリリーフ溝７４の谷部（クラッシュリリーフ溝の凹形状の開口）が他方のクラッシュリリーフ溝７５の山部（隣り合う２個の周方向溝７４の間に形成される凸形状）に対応するように配置される。
【００７０】
したがって異物は、クラッシュリリーフ溝７４とクラッシュリリーフ溝７５の接続位置で抵抗を受けるので、一方の半割軸受４１のクラッシュリリーフ溝７４内を流れてきた異物が、他方の半割軸受４２のクラッシュリリーフ溝７５へ進入し難くなり、また同時に、軸線方向溝７７内を軸受幅方向の端部側へ流れる油流によって軸受の外部へ排出されやすくなる。尚、油もまたクラッシュリリーフ溝７４とクラッシュリリーフ溝７５の接続位置において抵抗を受けるが、クラッシュリリーフ溝７４からクラッシュリリーフ溝７５へも流れる。
【００７１】
また、第２の半割軸受４２は、クランク軸の回転方向後方側のクラッシュリリーフ部７０と主円筒部７１との間に、主円筒部７１からクラッシュリリーフ部７０に向かって壁厚が薄くなるように形成された移行領域７３であって、半割軸受４２の軸線方向から見て半径方向に内向きの凸形状の内向凸曲面を有する移行領域７３をさらに有しているので、従来のクラッシュリリーフ部により形成されるリリーフ隙間と比較して第１の半割軸受４１の油溝４１ａから流れてくる油の保持容量が大きくなる。したがってクランク軸６の内部油路６ａの入口開口６ｃが（油溝４１ａのみならず）このクラッシュリリーフ部７０と連通している間もまた、クラッシュリリーフ部７０のリリーフ隙間内の油がクランクピン部側へ送られ、間欠給油になり難い。
【００７２】
さらに、図１５に示すように第１の半割軸受４１の油溝４１ａの形成範囲と、第２の半割軸受４２のクランク軸６の回転方向後方側のクラッシュリリーフ部７０の形成範囲とを合わせた範囲（θ１）が円周角度で１８０°〜１９０°である場合、クランク軸６の内部油路６ａの２つの開口のうちのいずれかが常に油溝４１ａまたは第２の半割軸受４２のクランク軸６の回転方向後方側のクラッシュリリーフ部７０のリリーフ隙間と連通するので、クランクピン部５側へ常時油が供給される。尚、第１の半割軸受４１の油溝４１ａの形成範囲と、第２の半割軸受４２のクランク軸６の回転方向後方側のクラッシュリリーフ部７０の形成範囲とを合わせた範囲（θ１）が円周角度で１９０°を超えると、主軸受４への給油圧力を高くしたり、給油量を多くする必要が生じ、これはオイルポンプの大型化を伴い、内燃機関の燃費を悪化させる。
【００７３】
（実施例２）
実施例２では、図１２に示すように、実施例１の一方の半割軸受４１とは異なり、油溝４１ａが、主円筒面からの深さが半割軸受４１のクランク軸の回転方向前方側の周方向端面７２で最大で、クランク軸の回転方向後方側の周方向端部に向かって次第に小さくなるよう形成される。尚、クランク軸の回転方向前方側の周方向端面７２での油溝４１ａの深さは、クラッシュリリーフ部７０や傾斜面７６を形成しなかった場合の、仮想の主円筒面７１（すなわち仮想内周面７１ｖ）から油溝４１ａの底面までの深さを意味する。油溝４１ａのクランク軸の回転方向後方側の周方向端部は、クラッシュリリーフ部７０内に位置付けられ、油溝４１ａの周方向端部よりも先側には複数のクラッシュリリーフ溝を有するクラッシュリリーフ部７０の面が形成される。他の構成は実施例１の半割軸受４１の構成と同じである。
【００７４】
実施例２においても、実施例１と同様に、一方の半割軸受４１と対になる他方の半割軸受４２のクラッシュリリーフ部７０に周方向に延びる複数のクラッシュリリーフ溝７５が設けられている。本実施例の一方の半割軸受４１の油溝４１ａの周方向先側の複数のクラッシュリリーフ溝７４は、他方の半割軸受４２の複数のクラッシュリリーフ溝７５に対して、幅方向に溝幅ＷＧの半分だけずらされている。このため、油溝４１ａ内に残留し、一方の半割軸受４１のクラッシュリリーフ溝７４内を流れてきた異物は、他方の半割軸受４２のクラッシュリリーフ溝７５へ進入し難く、軸線方向溝７７内を軸受幅方向の端部側へ流れる油流によって軸受の外部へ排出されやすくなる。
【００７５】
実施例１および実施例２では、一方の半割軸受４１の複数のクラッシュリリーフ溝７４は、他方の半割軸受４２の複数のクラッシュリリーフ溝７５に対して、幅方向に溝幅ＷＧの半分だけずらされた例を示したが、本願発明はこれに限定されない。複数のクラッシュリリーフ溝７４は、他方の半割軸受４２の複数のクラッシュリリーフ溝７５に対して、幅方向に０を越え溝幅ＷＧ未満の範囲内で、ずらされていてもよい。換言すると、一方のクラッシュリリーフ溝７４と他方のクラッシュリリーフ溝７５は、接続位置においてそれぞれの溝幅の中央部の位置が、半割軸受４１の幅方向に少なくとも０を超え、最大で溝幅ＷＧ未満の範囲でずらされて配置されていればよい。また好ましくは、一方のクラッシュリリーフ溝７４と他方のクラッシュリリーフ溝７５は、接続位置においてそれぞれの溝幅の中央部の位置が、半割軸受４１の幅方向に少なくとも溝幅ＷＧの１０％以上、最大で溝幅ＷＧの５０％以下の範囲でずらされて配置される。しかし、異物の排出性能はやや劣るものの、クラッシュリリーフ溝７４とクラッシュリリーフ溝７５は整合していてもよい。
【００７６】
以上、図面を参照して、本願発明の実施例を詳述してきたが、具体的な構成は、これらの実施例に限らず、本願発明の要旨を逸脱しない程度の設計的変更は、本願発明に含まれる。
【００７７】
例えば、実施例では、クラッシュリリーフ部７０にのみ複数のクラッシュクラッシュリリーフ溝７４を設ける場合について説明したが、主円筒面に複数の周方向溝を設けてもよい。また、移行領域７３に複数の周方向溝を設けてもよい。ただし、主円筒面と移行領域７３に形成する周方向溝は、クラッシュリリーフ溝７４、７５よりも溝深さを小さくすべきであり、またクラッシュリリーフ溝７４、７５が移行領域７３や主円筒面にまで延長して形成されることは避けるべきである。さらに、実施例では油溝４１ａは矩形の断面形状であるが、逆台形の断面形状としてもよい。さらに、半割軸受４１、４２の軸線方向両端部の内周面側には、軸受壁厚の減少領域（クラウニング部）を設けてもよい。また、実施例では、主軸受４がジャーナル部６の表面に内部油路６ａの入口開口６ｃを２つ有するクランク軸を支承する例を示したが、本発明はこれに限定されず、ジャーナル部６の表面の潤滑油路６ａ入口開口が１つまたは３つ以上のクランク軸を支承する主軸受４に適用することができる。
【符号の説明】
【００７８】
２  コンロッド
３  コンロッド軸受
４  主軸受
５  クランクピン
５ａ、５ｂ  潤滑油路
５ｃ  吐出口
６  ジャーナル部
６ａ  潤滑油路
４１、４２  半割軸受
４１ａ  油溝
７０  クラッシュリリーフ部
７０ｃ  クラッシュリリーフ
７１  主円筒部
７１ｖ  仮想の内周面
７２  端面
７３  移行領域
７４、７５  クラッシュリリーフ溝
７６  傾斜面
７７  軸線方向溝
θ１  油溝とクラッシュリリーフ部の形成範囲
【図１】
0006004501.tif 000002
【図２】
0006004501.tif 000003
【図３】
0006004501.tif 000004
【図４】
0006004501.tif 000005
【図５】
0006004501.tif 000006
【図６】
0006004501.tif 000007
【図７】
0006004501.tif 000008
【図８】
0006004501.tif 000009
【図９】
0006004501.tif 000010
【図１０Ａ】
0006004501.tif 000011
【図１０Ｂ】
0006004501.tif 000012
【図１１】
0006004501.tif 000013
【図１２】
0006004501.tif 000014
【図１３Ａ】
0006004501.tif 000015
【図１３Ｂ】
0006004501.tif 000016
【図１４Ａ】
0006004501.tif 000017
【図１４Ｂ】
0006004501.tif 000018
【図１５】
0006004501.tif 000019